(57)【要約】【課題】天板部の排気口付近に設けられた内枠体が見えすぎることに起因する美観の低下を抑制する。【解決手段】天板本体部３１に外枠体５０が組み付けられてなる板状構造部３５の後端側且つ幅方向中央側において幅方向一部範囲に開口部３５Ａが形成されている。内枠体４０は、開口部３５Ａの内縁部に沿って配置され、内枠体４０の前面部の一部が天板本体部３１の上面部よりも上側に突出した突出前面部４２Ａとして構成されている。排気口カバーの垂下部８２は、内枠体４０の突出前面部４２Ａを前側から覆う構成で配置される。【選択図】図１３
2018179438.tif 000002
【特許請求の範囲】
【請求項１】
上端側が開放した形態をなし、少なくともグリル庫及び前記グリル庫に連通した排気路を収容する筐体部と、
板状の天板本体部と、前記天板本体部の外周部に組み付けられる外枠体と、前記天板本体部に固定され且つ前記排気路で誘導された排気を排出する排気口が形成された内枠体と、を備え、前記筐体部の上端側に組み付けられて前記筐体部を閉塞する天板部と、
前記排気口から排出される排気を放出する経路となる複数の通気孔が形成され、前記排気口を覆う構成で前記天板部に載置される排気口カバーと、
を有し、
前記天板本体部に前記外枠体が組み付けられてなる板状構造部の後端側且つ幅方向中央側において幅方向一部範囲に開口部が形成され、
前記内枠体は、前記開口部の内縁部に沿って配置され、当該内枠体の前面部の一部が前記天板本体部の上面部よりも上側に突出した突出前面部として構成されており、
前記排気口カバーの前縁部は、前記内枠体の前記突出前面部を前側から覆う構成で配置されるガスコンロ。
【請求項２】
前記排気口カバーは、前記内枠体を上方側から覆う上方側被覆部と、前記上方側被覆部の前端部から下方側に垂れ下がるとともに当該排気口カバーの前縁部として構成される垂下部とを備え、
少なくとも前記上方側被覆部に複数の前記通気孔が形成され、
前記垂下部が前記突出前面部を前側から覆う構成で配置される請求項１に記載のガスコンロ。
【請求項３】
前記垂下部の下端部は、前記天板本体部の上面部に接触した状態で支持される請求項２に記載のガスコンロ。
【請求項４】
前記排気口カバーは、前記上方側被覆部の後端部から下方側に延び且つ前記内枠体の後端側の部分又は前記外枠体に接触した状態で支持される後縁部を備える請求項２又は請求項３に記載のガスコンロ。
【請求項５】
前記排気口カバーの幅方向両側には、下方側に延びる一対の下方側延出部が形成され、
前記内枠体の幅方向両側には、一対の前記下方側延出部がそれぞれ挿し込まれる一対の孔部がそれぞれ形成されている請求項１から請求項４のいずれか一項に記載のガスコンロ。
【請求項６】
前記排気口カバーには、当該排気口カバーの上面部の幅方向両端部から下方に折れ曲がる一対の側壁部が形成され、
前記下方側延出部は、前記側壁部から前記排気口カバーの幅方向中央側に延びる載置部と、前記載置部から下方に延びる挿入部とを有し、
一対の前記載置部は、前記内枠体の幅方向両側の上面部にそれぞれ載置され、
一対の前記挿入部は、前記内枠体の一対の前記孔部にそれぞれ挿し込まれる請求項５に記載のガスコンロ。
【発明の詳細な説明】
【技術分野】
【０００１】
本発明は、ガスコンロに関するものである。
【背景技術】
【０００２】
従来技術として、魚などの被調理物に対して加熱調理を行うためのグリル庫が器内に設けられた加熱調理器が知られている。例えば、特許文献１で開示される加熱調理器は、天板の後端側の上面に設けられて排気口が形成される内枠体と、この排気口を覆うように排気口と対向する範囲に多数の通風可能な小開口を有する排気口カバーと、を備えており、グリル庫からの排気を排気経路及び排気口を介して排出する構成となっている。
【先行技術文献】
【特許文献】
【０００３】
【特許文献１】特開２０１５−２０３５３２号公報
【発明の概要】
【発明が解決しようとする課題】
【０００４】
特許文献１で開示されるガスコンロは、天板の後端部中央側において、天板の平坦面から隆起した形状で枠状部が設けられ、この枠状部の内縁部が排気口となっている。そして、このように隆起した枠状部の上面部に載置するように排気ガード（排気口カバー）を取り付ける構成となっている。しかし、この構成では、天板の平坦面と排気ガード（排気口カバー）との間から隆起した枠状部が見えてしまう。この枠状部の露出領域が大きくなると、枠状部の存在感が大きくなりすぎてしまい、美観を損ねる虞がある。
【０００５】
本発明は、上述した課題を解決するためになされたものであり、天板部の排気口付近に設けられた内枠体が見えすぎることに起因する美観の低下を抑制することを目的とするものである。
【課題を解決するための手段】
【０００６】
本発明の一態様であるガスコンロは、
上端側が開放した形態をなし、少なくともグリル庫及び前記グリル庫に連通した排気路を収容する筐体部と、
板状の天板本体部と、前記天板本体部の外周部に組み付けられる外枠体と、前記天板本体部に固定され且つ前記排気路で誘導された排気を排出する排気口が形成された内枠体と、を備え、前記筐体部の上端側に組み付けられて前記筐体部を閉塞する天板部と、
前記排気口から排出される排気を放出する経路となる複数の通気孔が形成され、前記排気口を覆う構成で前記天板部に載置される排気口カバーと、
を有し、
前記天板本体部に前記外枠体が組み付けられてなる板状構造部の後端側且つ幅方向中央側において幅方向一部範囲に開口部が形成され、
前記内枠体は、前記開口部の内縁部に沿って配置され、当該内枠体の前面部の一部が前記天板本体部の上面部よりも上側に突出した突出前面部として構成されており、
前記排気口カバーの前縁部は、前記内枠体の前記突出前面部を前側から覆う構成で配置される。
【発明の効果】
【０００７】
上記ガスコンロは、天板本体部に外枠体が組み付けられてなる板状構造部に開口部が形成され、この開口部の内縁部に沿うように天板本体部の上面部から突出した形で内枠体が取り付けられている。そして、この内枠体に排気口が形成されている。このように排気口となる内枠体が突出形態で設けられていると、排気口の位置が把握しやすくなり、排気口カバーを取り付けやすくなる。更に、排気口カバーは、前縁部が内枠体の突出前面部を前側から覆う構成で配置されるようになっているため、内枠体の前面部（突出前面部）において排気口カバーの前縁部によって隠される領域が大きくなる。よって、天板部の排気口付近に設けられた内枠体が見えすぎることに起因する美観の低下を抑制することができる。
【図面の簡単な説明】
【０００８】
【図１】図１は、実施例１のガスコンロを例示する斜視図である。
【図２】図２は、実施例１のガスコンロにおいて天板部を取り外した状態を示す斜視図である。
【図３】図３は、実施例１のガスコンロの一部を分解して示す分解斜視図である。
【図４】図４は、実施例１のガスコンロの平面図である。
【図５】図５は、実施例１の天板部の平面図である。
【図６】図６は、実施例１の天板部を斜め上方側から見た斜視図を部分的に拡大して示す拡大図である。
【図７】図７は、実施例１の排気口カバーの斜視図である。
【図８】図８（Ａ）は、実施例１の排気口カバーの正面図であり、図８（Ｂ）は、実施例１の排気口カバーの底面図である。
【図９】図９（Ａ）は、実施例１の排気口カバーの背面図であり、図９（Ｂ）は、実施例１の排気口カバーの右側面図である。
【図１０】図１０は、実施例１の天板部に排気口カバーが載置された状態を示す斜視図である。
【図１１】図１１（Ａ）は、図４のＡ−Ａ断面の上方側の一部を概略的に示す断面概略図であり、図１１（Ｂ）は、図４のＢ−Ｂ断面の上方側の一部を概略的に示す断面概略図である。
【図１２】図１２（Ａ）は、図１１（Ａ）の断面概略図の右側を部分的に拡大して示す拡大図であり、図１２（Ｂ）は、図１１（Ａ）の断面概略図の左側を部分的に拡大して示す拡大図である。
【図１３】図１３は、図４のＣ−Ｃ断面の上方側の一部を概略的に示す断面概略図である。
【発明を実施するための形態】
【０００９】
本発明の望ましい例を以下に示す。本発明は、以下の例に限定されない。
【００１０】
排気口カバーは、内枠体を上方側から覆う上方側被覆部と、上方側被覆部の前端部から下方側に垂れ下がるとともに当該排気口カバーの前縁部として構成される垂下部とを備え、少なくとも上方側被覆部に複数の通気孔が形成されてもよい。垂下部が突出前面部を前側から覆う構成で配置されてもよい。
【００１１】
このように、排気口カバーに設けられた上方側被覆部が内枠体を上方側から覆い、且つ垂下部が突出前面部を前側から覆うように構成されていると、ユーザがガスコンロを前側且つ上方側から見たときに、内枠体の突出前面部がユーザの目に入りにくくなる。つまり、ガスコンロを前側且つ上方側から見るような通常の使用状態において内枠体が見えにくくなり、内枠体が見えすぎることに起因する美観の低下を効果的に抑えることができる。一方で、上方側被覆部に複数の通気孔が形成されているため、内枠体を隠しつつ排気口から排出される排気をガスコンロ外部に良好に排出することができる。
【００１２】
垂下部の下端部は、天板本体部の上面部に接触した状態で支持されてもよい。
【００１３】
このように、垂下部の下端部が天板本体部の上面部に接触した状態で支持されていると、垂下部と天板本体部の間の隙間がより小さくなり、この隙間を介して内枠体が見えすぎてしまうような事態が生じにくくなる。更に、垂下部の下端部が天板本体部の上面部に接触しているため、天板部上での排気口カバーの支持構造、特に、排気口カバー前端側における支持構造が簡易且つ安定化した支持構造となる。
【００１４】
排気口カバーは、上方側被覆部の後端部から下方側に延び且つ内枠体の後端側の部分又は外枠体に接触した状態で支持される後縁部を備えてもよい。
【００１５】
このように、上方側被覆部の後端部から下方側に延びるように後縁部が構成され、この後縁部が内枠体の後端側の部分又は外枠体に接触した状態で支持されているため、天板部上での排気口カバーの支持構造、特に、排気口カバー後端側における支持構造が簡易且つ安定化した支持構造となる。
【００１６】
排気口カバーの幅方向両側には、下方側に延びる一対の下方側延出部が形成され、内枠体の幅方向両側には、一対の下方側延出部がそれぞれ挿し込まれる一対の孔部がそれぞれ形成されてもよい。
【００１７】
このように、下方側に延びる一対の下方側延出部が排気口カバーの幅方向両側に形成され、これらが内枠体の幅方向両側に形成された一対の孔部にそれぞれ挿し込まれるようになっているため、排気口カバーが内枠体に対して前後方向にも幅方向にも位置ずれしにくくなり、排気口カバーがより一層安定的に設置されることになる。
【００１８】
排気口カバーには、当該排気口カバーの上面部の幅方向両端部から下方に折れ曲がる一対の側壁部が形成されていてもよい。下方側延出部は、側壁部から排気口カバーの幅方向中央側に延びる載置部と、載置部から下方に延びる挿入部とを有してもよい。一対の載置部は、内枠体の幅方向両側の上面部にそれぞれ載置され、一対の挿入部は、内枠体の一対の孔部にそれぞれ挿し込まれてもよい。
【００１９】
このように、排気口カバーに形成された一対の下方側延出部は、排気口カバーに設けられた一対の側壁部から幅方向中央側に延びるように載置部が形成され、これら一対の載置部が、内枠体の幅方向両側の上面部にそれぞれ載置されるようになっている。ゆえに、排気口カバーは、内枠体に対して位置ずれしにくい構造であって、尚且つ、左右両側の支持構造が簡易且つ安定化した支持構造となる。
【００２０】
＜実施例１＞
以下、本発明を具現化した実施例１について、図面を参照して説明する。
（ガスコンロの基本構成）
図１等を参照し、ガスコンロ１の基本構成を説明する。
図１等で示すガスコンロ１は、テーブルガスコンロとして構成され、天板部３０と装置本体１Ａを備え、装置本体１Ａの上端部に天板部３０が固定された構成をなす。図２は、装置本体１Ａから天板部３０を取り外した状態の外観を示すものである。
【００２１】
本明細書では、ガスコンロ１が平坦な載置面に載置されたときの載置面と直交する方向が上下方向である。また、上下方向と直交する方向のうち側壁部４Ａ、４Ｂが向かい合う方向が左右方向であり、上下方向及び左右方向と直交する方向が前後方向である。ガスコンロ１では、図４のように平面視したときの長手方向が左右方向となっており、短手方向が前後方向となっている。
【００２２】
装置本体１Ａは、図２のような構成をなし、ガスコンロ１から天板部３０を取り外した残りの部分を指す。装置本体１Ａは、外殻を構成する筐体部２、梁部材２０、右側バーナ１４、左側バーナ１５、ガス供給装置１６、ガス供給装置１７、グリル庫１２、排気路１３などを備える。
【００２３】
筐体部２は、例えば金属材料によって構成され、上端部が開口する略直方体状に構成されている。筐体部２は、ガスコンロ１の外殻をなすとともにガスバーナ（右側バーナ１４、左側バーナ１５等）などを収容するケースとして機能する部分である。筐体部２は、主に、筐体本体部４、梁部材２０、前パネル５などを備えた構成をなし、上端側が開放した箱状形態をなす。
【００２４】
図２のように、筐体本体部４は、ガスコンロ１の左右両側に配置される一対の側壁部４Ａ，４Ｂと、後端側に配置される後壁部４Ｃと、下面側に配置される底壁部（図示略）とを備える。側壁部４Ａ，４Ｂ、後壁部４Ｃ、底壁部は互いに連結されており、筐体本体部４は、上端側及び前端側が開放した箱状形態をなす。筐体本体部４の一対の側壁部４Ａ，４Ｂの間には、ガスバーナ（右側バーナ１４、左側バーナ１５等）、グリル庫１２、排気路１３などの各種部品が収容される。
【００２５】
図３のように、梁部材２０は、筐体本体部４の内部に配置され、筐体本体部４内の前側の位置において左右方向に延びた形態で架設される架設部２２を備える。架設部２２の両端部は、筐体本体部４を構成する側壁部４Ａ，４Ｂのそれぞれにおける上側且つ前側の端部に連結されており、側壁部４Ａ，４Ｂを連結するフレームとして機能する。
【００２６】
図１、図２のように、前パネル５は、ガスコンロ１の前面部として機能する部分である。図２のように、前パネル５は、上述した筐体本体部４及び梁部材２０に対して前側から装着される。図２の例では、筐体本体部４の左右両側に前パネル５がそれぞれ装着され、２つの前パネル５の間には、グリル庫１２のグリル扉１２Ａが開閉可能に装着されている。
【００２７】
図１、図３のように、天板部３０は、ガスコンロ１の上面部として機能する部分である。図３のように、天板部３０は、板状に構成された天板本体部３１と、天板本体部３１の周縁部に組み付けられる外枠体５０と、天板本体部３１に外枠体５０が組み付けられてなる板状構造部３５に形成された開口部（図示略）に取り付けられる内枠体４０と、を備え、全体として板状の形態をなす。天板部３０は、筐体部２の上端部に対して当該上端部の開口を閉塞する形態で固定される。
【００２８】
図２のように、グリル庫１２は、装置本体１Ａの左右方向中央部付近に設置されるとともに、前後左右上下が囲まれた箱状形態をなす。排気路１３は、装置本体１Ａの上部後端側においてグリル庫１２内の空間から連通する構成をなす。排気路１３は、グリル庫１２内の排気を行うための経路であり、グリル庫１２で生じた排気を天板部３０に形成された排気口４０Ａに誘導するように機能する。排気路１３の端部には開口部１３Ａが形成されている。開口部１３Ａは、図３のように排気路１３の上部後端側において上方側に開放した形態をなし、天板部３０の排気口４０Ａの下側に位置している。排気口カバー８０は、排気口４０Ａを覆う構成で配置されている。排気口カバー８０は、天板部３０上に載置される形で着脱可能に設置されている。排気口カバー８０は、複数の通気孔８０Ａを備え、通気孔８０Ａを介して排気口４０Ａから排出される排気を外部（ガスコンロ１の上方側）に放出するとともに、グリル庫１２の内部からの炎のあふれを遮断するように機能する。
【００２９】
図１のように、グリル庫１２のグリル扉１２Ａは、上述した２つの前パネル５の間に設けられており、これら前パネル５とともに、装置本体１Ａの前面部を構成する。グリル扉１２Ａは、装置本体１Ａの前面部の幅方向（左右方向）略中央付近に設けられている。グリル扉１２Ａは、グリル庫１２の前方側に引き出し可能とされており、使用者はグリル扉１２Ａに設けられた取っ手を掴みつつグリル扉１２Ａを前方に引き出すことにより、グリル庫１２内に収納された受け皿及び焼き網等を一体的に外部に取り出すことができる。
【００３０】
図２のように、筐体部２内には、右側バーナ１４、左側バーナ１５、グリルバーナ（図示略）が収容されている。図１、図３のように、天板本体部３１の左右両側には、円形状の一対の開口部３２，３３が形成され、これら開口部３２，３３にそれぞれ挿入される形態で右側バーナ１４及び左側バーナ１５が天板部３０の上方側に向けて突出して配置されている。右側バーナ１４及び左側バーナ１５の各周囲には、五徳１８，１９が夫々設置されている。ガスコンロ１の使用時には、五徳１８，１９の各上部にフライパン、鍋等の調理容器（図示略）が載置される。
【００３１】
ガス供給装置１６は、右側バーナ１４の点火消火を行うと共に、右側バーナ１４にガスを供給する為の装置である。ガス供給装置１７は、左側バーナ１５の点火消火を行うと共に、左側バーナ１５にガスを供給する為の装置である。
【００３２】
ガス供給装置１６、１７はガス量調整装置１６Ａ，１７Ａをそれぞれ備える。グリルバーナ（図示略）へのガス供給経路にもガス量調整装置（詳細な図示は省略）が設けられている。ガス量調整装置１６Ａは、装置本体１Ａの前方側に延びる操作レバー１６Ｂを備え、操作レバー１６Ｂの左右方向の変位に応じて右側バーナ１４へのガス供給量を調整するように動作する。ガス量調整装置１７Ａは、装置本体１Ａの前方側に延びる操作レバー１７Ｂを備え、操作レバー１７Ｂの左右方向の変位に応じて左側バーナ１５へのガス供給量を調整するように動作する。グリルバーナに対応するガス量調整装置は、装置本体１Ａの前方側に延びる操作レバー１８Ｂを備え、操作レバー１８Ｂの左右方向の変位に応じてグリルバーナへのガス供給量を調整するように動作する。点火スイッチ２６は右側バーナ１４の点火又は消火を行うための操作部であり、グリル扉１２Ａの右隣りに配置されている。点火スイッチ２８はグリル庫１２内に設けられたグリルバーナ（図示略）の点火又は消火を行うための操作部であり、点火スイッチ２６の右隣りに配置されている。点火スイッチ２７は左側バーナ１５の点火又は消火を行うための操作部であり、グリル扉１２Ａの左隣りに配置されている。
【００３３】
（天板部の詳細構造）
天板部３０の詳細構造について説明する。
図５のように、天板本体部３１は、角が丸みを帯びた平面視長方形状且つ板状に形成され、左右両側に形成された円形状の一対の開口部３２，３３の周囲には、カバーリングが載置される。天板本体部３１の後端側且つ中央側には、前方側の両角が丸みを帯びた平面視長方形状に切り欠かれた切欠部（図１２、図１３参照）が形成されている。
【００３４】
外枠体５０は、角が丸みを帯びた略四角リング状に形成され、天板本体部３１における切欠部３４を除く外周部の全体を覆う構成となっている。天板本体部３１の切欠部３４と、外枠体５０において後端側で幅方向（左右方向）に延びる後端側枠部５２とによって平面視略長方形状の開口部３５Ａ（図１２、図１３参照）が構成されている。開口部３５Ａは、板状構造部３５の後端側且つ幅方向中央側において幅方向一部範囲に形成されている。
【００３５】
図５、図６のように、内枠体４０は、天板本体部３１の後端側且つ幅方向（左右方向）中央側において幅方向一部範囲において固定され、排気路１３で誘導された排気を排出する排気口４０Ａが形成されている。内枠体４０は、排気口４０Ａが形成されるとともに開口部３５Ａの内縁部に沿って配置される環状枠部４１と、環状枠部４１の後端部分から後方側且つ下方側に延びる延出部４５（図１３参照）と、を備えている。図１３のように、環状枠部４１は、幅方向に沿って延び、外枠体５０の後端側枠部５２に対して前側から当接する後端側の部分（後端部４１Ｇ）を備えている。図１３のように、延出部４５と後端側枠部５２とが、例えば螺子として構成される連結部材６１によって互いに連結され且つ連結部材６１によって幅方向の位置合わせがされている。
【００３６】
図６のように、環状枠部４１は、略四角リング状に形成され、上壁部４１Ａ、外壁部４１Ｂ、上側内壁部４１Ｃ、底壁部４１Ｄ、下側内壁部４１Ｅ、鍔部４１Ｆ（図１３参照）を備えている。上壁部４１Ａは、前方側の両角が丸みを帯びた平面視四角リング状に形成されている。外壁部４１Ｂは、上壁部４１Ａと略直交するように上壁部４１Ａの外周側端部から下方側に延出し、略四角リング状に形成されている。上側内壁部４１Ｃは、上壁部４１Ａの内周側端部から下方側に延出し、略四角リング状に形成され、上壁部４１Ａと角が生じないように滑らかに連なっている。底壁部４１Ｄは、上側内壁部４１Ｃの下方側端部から内側に延びるように略四角リング状に形成され、上側内壁部４１Ｃと角が生じないように滑らかに連なっている。底壁部４１Ｄの幅方向両側において、上下方向に貫通する平面視略長方形状の一対の孔部４４Ａ，４４Ｂが形成されている。下側内壁部４１Ｅは、底壁部４１Ｄの内周側端部から下方側に延びるように略四角リング状に形成され、底壁部４１Ｄと角が生じないように滑らかに連なっている。鍔部４１Ｆは、下側内壁部４１Ｅの下方側端部から外側に延びるように略四角リング状に形成され、下側内壁部４１Ｅと角が生じないように滑らかに連なっている。
【００３７】
排気口４０Ａは、下側内壁部４１Ｅの内側部分によって構成され、角が丸みを帯びた平面視長方形状の開口部となっている。図１２、図１３のように、環状枠部４１は、内枠体４０と板状構造部３５とを接着する接着媒体７１が貯留する貯留部４３を備えている。貯留部４３は、下方側に開放した溝状に形成されている。貯留部４３は、上壁部４１Ａ、外壁部４１Ｂ、上側内壁部４１Ｃによって構成されており、これらによって囲まれるように接着媒体７１を貯留させる。後端部４１Ｇは、上壁部４１Ａ、外壁部４１Ｂ、上側内壁部４１Ｃ、底壁部４１Ｄ、下側内壁部４１Ｅ、鍔部４１Ｆの各後端側の部分によって構成される。
【００３８】
図１１（Ｂ）、図１３のように、内枠体４０の前面部４２は、外壁部４１Ｂ、上側内壁部４１Ｃ、底壁部４１Ｄ、下側内壁部４１Ｅの各々の前面部、鍔部４１Ｆの前端部によって構成されている。外壁部４１Ｂは、天板本体部３１の上面部３１Ａよりも上側に突出した突出前面部４２Ａとして構成されている。内枠体４０の上壁部４１Ａ、上側内壁部４１Ｃは、天板本体部３１の上面部３１Ａよりも上側に突出している。
【００３９】
図１１〜図１３のように、貯留部４３は、開口部３５Ａの内縁部上に載置され、開口部３５Ａの内縁部の上面側に開放し、開口部３５Ａの内縁部の上面との間に接着媒体７１を貯留する。開口部３５Ａの内縁部と貯留部４３の間には、パッキン３６が設けられている。図１１〜図１３のように、環状枠部４１は、開口部３５Ａの内縁部と貯留部４３の間に貯留された接着媒体７１を介して天板本体部３１に接着される。内枠体４０の外壁部４１Ｂは、前方側及び左右両側の下端部が天板本体部３１の上面部３１Ａに接触した状態で支持される。
【００４０】
（排気口カバーの詳細構造）
排気口カバー８０の詳細構造について説明する。
図７〜図９のように、排気口カバー８０は、上方側被覆部８１、垂下部８２、後縁部８３、側壁部８４，８５を備えている。上方側被覆部８１は、内枠体４０を上方側から覆う部分であり、角が丸みを帯びた平面視長方形の板状に形成されている。上方側被覆部８１には、板面上の中央部分において板厚方向に貫通する複数の通気孔８０Ａが形成されている。複数の通気孔８０Ａは、上方側被覆部８１が網目状となるように形成され、それぞれ上方側被覆部８１の長手方向に沿って延びる平面視六角形状である。
【００４１】
垂下部８２は、排気口カバー８０の前縁部として構成され、上方側被覆部８１の前端部から下方側に垂れ下がるように、長手板状に形成されている。垂下部８２は、上方側被覆部８１と角が生じないように滑らかに連なっている。垂下部８２の幅方向（左右方向）中央部分には、下方側に突出する突出部８２Ａが形成されている。突出部８２Ａは、弓形に丸みを帯びた形状となっている。図８（Ａ）のように、垂下部８２の幅方向両端部には、それぞれ略台形状に切り欠かれた切欠部８２Ｂが形成されている。
【００４２】
後縁部８３は、上方側被覆部８１の後端部から下方側に垂れ下がるように、長手板状に形成されている。後縁部８３は、上方側被覆部８１と角が生じないように滑らかに連なっている。後縁部８３の下端部における幅方向両端部には、それぞれ下方側に突出する突出部８３Ａが形成されている。突出部８３Ａは、弓形に丸みを帯びた形状となっている。後縁部８３の下端部における一対の突出部８３Ａ，８３Ａの間には、前方側に延びる一対の延出部８３Ｂ，８３Ｂが形成されている。
【００４３】
側壁部８４は、上方側被覆部８１の右端部から下方に折れ曲がるように長手板状に形成されている。側壁部８４は、上方側被覆部８１と角が生じないように滑らかに連なっている。側壁部８４の下端部における前後方向中央側には、下方側に延びる長手板状の下方側延出部８６が形成されている。下方側延出部８６は、内枠体４０の幅方向右側の上面部に載置される載置部８６Ａと、内枠体４０の孔部４４Ａに挿し込まれる挿入部８６Ｂと、を備えている。載置部８６Ａは、側壁部８４の下端部から上方側被覆部８１の幅方向中央側に延出し、前後方向の幅が中央側に向かうにつれて小さくなっている。挿入部８６Ｂは、前後方向の幅が均一であり、載置部８６Ａの左端部から下方側に延び、載置部８６Ａから離れるにつれて中央側に向かうように傾斜している。
【００４４】
側壁部８５は、上方側被覆部８１の左端部から下方に折れ曲がるように長手板状に形成されている。側壁部８５は、上方側被覆部８１と角が生じないように滑らかに連なっている。側壁部８５の下端部における前後方向中央側には、下方側に延びる長手板状の下方側延出部８７が形成されている。下方側延出部８７は、内枠体４０の幅方向左側の上面部に載置される載置部８７Ａと、内枠体４０の孔部４４Ｂに挿し込まれる挿入部８７Ｂと、を備えている。載置部８７Ａは、側壁部８５の下端部から上方側被覆部８１の幅方向中央側に延出し、前後方向の幅が中央側に向かうにつれて小さくなっている。挿入部８７Ｂは、前後方向の幅が均一であり、載置部８７Ａの右端部から下方側に延び、載置部８７Ａから離れるにつれて中央側に向かうように傾斜している。挿入部８６Ｂよりも挿入部８７Ｂの方が、前後方向における幅が大きくなっている。
【００４５】
（排気口カバーの天板部に対する載置状態）
排気口カバー８０が天板部３０に載置された状態について説明する。
図１０〜図１３は、排気口カバー８０が天板部３０上に載置された状態を示している。図１０〜図１３のように、排気口カバー８０は、内枠体４０に被せられるように内枠体４０上に載置される。上方側被覆部８１は、内枠体４０の排気口４０Ａの上方側に複数の通気孔８０Ａが位置するように、内枠体４０を上方側から覆っている。上方側被覆部８１によって、後端部４１Ｇの後端側の一部を除く環状枠部４１の全体が覆い隠されている。上方側から内枠体４０の外面のほぼ全体が目視されないようになっている
【００４６】
図１１（Ｂ）、図１３のように、垂下部８２は、内枠体４０の突出前面部４２Ａを前側から覆う構成で配置されている。垂下部８２が突出前面部４２Ａによって前側から覆い隠されることで、前側から内枠体４０の外面のほぼ全体が目視されないようになっている。図１３のように、垂下部８２は、突出前面部４２Ａよりも前側に位置し、突出前面部４２Ａと離間して配置されている。垂下部８２の突出部８２Ａは、天板本体部３１の上面部３１Ａに上方側から接触した状態で天板本体部３１に支持されている。
【００４７】
図１１（Ａ）、図１３のように、後縁部８３は、一対の突出部８３Ａ，８３Ａが内枠体４０の後端部４１Ｇに上方側から接触した状態で後端部４１Ｇに支持されている。一対の突出部８３Ａ，８３Ａは、ともに後端部４１Ｇの前後方向における後端側寄りの部分に接触している。
【００４８】
図１２（Ａ）のように、側壁部８４は、外壁部４１Ｂの右端部よりも右側に位置している。側壁部８４によって目隠しされることによって、排気口カバー８０の右斜め上方側から外壁部４１Ｂの右端部の外面が目視されないようになっている。図１２（Ｂ）のように、側壁部８５は、外壁部４１Ｂの左端部よりも左側に位置している。側壁部８５によって目隠しされることによって、排気口カバー８０の左斜め上方側から外壁部４１Ｂの左端部の外面が目視されないようになっている。
【００４９】
図１１（Ａ）のように、一対の下方側延出部８６，８７は、それぞれ内枠体４０の一対の孔部４４Ａ，４４Ｂに挿し込まれている。図１２（Ａ）のように、載置部８６Ａは、上壁部４１Ａの幅方向右側の上面部に載置され、挿入部８６Ｂは、孔部４４Ａに上方側から挿し込まれている。載置部８６Ａは、上壁部４１Ａの幅方向右側の上面部に載置され、挿入部８６Ｂは、内枠体４０の孔部４４Ａに上方側から挿し込まれている。載置部８６Ａ及び挿入部８６Ｂは、上方側被覆部８１の下方側に位置するため、上方側被覆部８１によって下方側延出部８６の全体が覆い隠され、上方側から目視されないようになっている。
【００５０】
図１２（Ｂ）のように、載置部８７Ａは、上壁部４１Ａの幅方向左側の上面部に載置され、挿入部８７Ｂは、内枠体４０の孔部４４Ｂに上方側から挿し込まれている。載置部８７Ａは、上壁部４１Ａの幅方向左側の上面部に載置され、挿入部８７Ｂは、孔部４４Ｂに上方側から挿し込まれている。載置部８７Ａ及び挿入部８７Ｂは、上方側被覆部８１の下方側に位置するため、上方側被覆部８１によって下方側延出部８７の全体が覆い隠され、上方側から目視されないようになっている。
【００５１】
以下、本構成の効果を例示する。
本構成のガスコンロ１は、板状構造部３５の後端側且つ幅方向中央側において幅方向一部範囲に開口部３５Ａが形成され、排気口４０Ａが形成される内枠体４０は、開口部３５Ａの内縁部に沿って配置される構成である。そのため、内枠体４０が板状構造部３５における後端側の幅方向一部範囲に組み付けられ、内枠体４０が板状構造部３５における後端側の幅方向の全範囲に組み付けられる構成と比べて、天板本体部３１の上面部よりも上側に突出する内枠体４０の突出前面部４２Ａのガスコンロ１の外部への露出を少なくすることができる。その上で、排気口カバー８０の前縁部（垂下部８２）が、内枠体４０の突出前面部４２Ａを前側から覆う構成で配置されるため、内枠体４０の突出前面部４２Ａを目隠しすることができる。これにより、内枠体４０の突出前面部４２Ａが見えることに起因する美観の低下を抑えることができる。
【００５２】
排気口カバー８０は、内枠体４０を上方側から覆う上方側被覆部８１と、上方側被覆部８１の前端部から下方側に垂れ下がるとともに排気口カバー８０の前縁部として構成される垂下部８２とを備え、少なくとも上方側被覆部８１に複数の通気孔８０Ａが形成されている。垂下部８２が突出前面部４２Ａを前側から覆う構成で配置されている。これにより、排気口カバー８０の垂下部８２が内枠体４０の突出前面部４２Ａを前側から覆うことで、突出前面部４２Ａを目隠しすることができ、突出前面部４２Ａが見えることに起因する美観の低下を抑えることができる。その上で、複数の通気孔８０Ａが形成される上方側被覆部８１が内枠体４０を上方側から覆うことで、内枠体４０の上面部を目隠しすることができ、排気口４０Ａから排出される排気を放出する経路を通気孔８０Ａにより確保しつつ、内枠体４０の上面部が見えることに起因する美観の低下を抑えることができる。
【００５３】
垂下部８２の下端部は、天板本体部３１の上面部３１Ａに接触した状態で支持されている。これにより、内枠体４０の突出前面部４２Ａの目隠しに用いる垂下部８２を、天板本体部３１に対する排気口カバー８０の支持にも利用できるため、垂下部８２とは別に天板本体部３１によって支持させる構造を排気口カバー８０に設ける必要がなく、排気口カバー８０を簡素化できる。
【００５４】
排気口カバー８０は、上方側被覆部８１の後端部から下方側に延出し且つ内枠体４０の後端側の部分（後端部４１Ｇ）に接触した状態で支持される後縁部８３を備えている。これにより、排気口カバー８０の後縁部８３が内枠体４０の後端部４１Ｇに接触した状態で支持されることで、排気口カバー８０が内枠体４０に対してガタつくことを抑制することができる。その上で、排気口カバー８０が内枠体４０の後端部４１Ｇの上方側にも位置する構成となるため、内枠体４０の後端側の部分を目隠しすることができ、内枠体の４０後端側の部分が見えることに起因する美観の低下を抑えることができる。
【００５５】
排気口カバー８０の幅方向両側には、下方側に延びる一対の下方側延出部８６，８７が形成され、内枠体４０の幅方向両側には、一対の下方側延出部８６，８７がそれぞれ挿し込まれる一対の孔部４４Ａ，４４Ｂがそれぞれ形成されている。これにより、内枠体４０の孔部４４Ａ，４４Ｂに挿し込まれる排気口カバー８０の下方側延出部８６，８７は、それぞれ孔部４４Ａ，４４Ｂによって天板本体部３１の上面部３１Ａに平行な方向への移動が規制されるため、排気口カバー８０の内枠体４０に対する位置ずれを抑制することができる。
【００５６】
排気口カバー８０には、上方側被覆部８１の幅方向両端部から下方に折れ曲がる一対の側壁部８４，８５が形成されている。下方側延出部８６は、側壁部８４から排気口カバー８０の幅方向中央側に延びる載置部８６Ａと、載置部８６Ａから下方に延びる挿入部８６Ｂと、を有している。下方側延出部８７は、側壁部８５から排気口カバー８０の幅方向中央側に延びる載置部８７Ａと、載置部８７Ａから下方に延びる挿入部８７Ｂと、を有している。一対の載置部８６Ａ，８７Ａは、内枠体４０の幅方向両側の上面部にそれぞれ載置され、一対の挿入部８６Ｂ，８７Ｂは、内枠体４０の一対の孔部４４Ａ，４４Ｂにそれぞれ挿し込まれている。これにより、排気口カバー８０の一対の載置部８６Ａ，８７Ａが、内枠体４０の幅方向両側の上面部にそれぞれ載置されることで、排気口カバー８０が内枠体４０によって安定して支持されることになる。その上で、内枠体４０の一対の孔部４４Ａ，４４Ｂにそれぞれ挿し込まれる一対の挿入部８６Ｂ，８７Ｂが、それぞれ排気口カバー８０の側壁部８４，８５から排気口カバー８０の幅方向中央側に延びる載置部８６Ａ，８７Ａから下方に延びる構成である。そのため、排気口カバー８０を内枠体４０に載置した際に、載置部８６Ａ，８７Ａ及び挿入部８６Ｂ，８７Ｂが排気口カバー８０の上面部に覆われて目隠しされることになり、載置部及び挿入部が見えることに起因する美観の低下を抑えることができる。
【００５７】
＜他の実施例＞
本発明は上記記述及び図面によって説明した実施例に限定されるものではなく、例えば次のような例も本発明の技術的範囲に含まれる。また、上述した実施例や後述する実施例の特徴は矛盾しない範囲でどのように組み合わせてもよい。
【００５８】
実施例１のガスコンロ１は、後縁部８３が内枠体４０の後端部４１Ｇに上方側から接触した状態で後端部４１Ｇに支持される構成であるが、後縁部８３が外枠体５０に接触した状態で外枠体５０に支持される構成であってもよい。排気口カバー８０が外枠体５０の上方側にも位置する構成となるため、内枠体４０の後端部４１Ｇを目隠しすることができ、内枠体４０の後端部４１Ｇが見えることに起因する美観の低下を抑えることができる。
【００５９】
実施例１のガスコンロ１において、一対の載置部８６Ａ，８７Ａが内枠体４０に載置されず、排気口カバー８０の突出部８２Ａ，８３Ａ，８３Ａのみが天板部３０に接触して支持される構成であってもよい。排気口カバー８０が天板部３０に三点で接触することで、排気口カバー８０が天板部３０に対してガタつき難く、安定して支持されることになる。
【００６０】
実施例１のガスコンロ１はテーブルコンロであるが、ビルトインコンロ等であってもよい。
【００６１】
実施例１のガスコンロ１は右側バーナ１４及び左側バーナ１５を備えるものであるが、バーナの数はこれに限定されず、多くても少なくてもよい。
【符号の説明】
【００６２】
２…筐体部
１２…グリル庫
１３…排気路
３０…天板部
３１…天板本体部
３５…板状構造部
３５Ａ…開口部
４０…内枠体
４０Ａ…排気口
４２…前面部
４２Ａ…突出前面部
４４Ａ，４４Ｂ…孔部
５０…外枠体
８０…排気口カバー
８０Ａ…通気孔
８１…上方側被覆部
８２…垂下部
８３…後縁部
８４，８５…側壁部
８６，８７…下方側延出部
８６Ａ，８７Ａ…載置部
８６Ｂ，８７Ｂ…挿入部
【図１】
2018179438.tif 000003
【図２】
2018179438.tif 000004
【図３】
2018179438.tif 000005
【図４】
2018179438.tif 000006
【図５】
2018179438.tif 000007
【図６】
2018179438.tif 000008
【図７】
2018179438.tif 000009
【図８】
2018179438.tif 000010
【図９】
2018179438.tif 000011
【図１０】
2018179438.tif 000012
【図１１】
2018179438.tif 000013
【図１２】
2018179438.tif 000014
【図１３】
2018179438.tif 000015